(57)【要約】【課題】肌触りと吸水性がよく、首に直接着用することができ、しかもハンカチとしても使用できるタオル製品を提供することを目的とする。【解決手段】この考案のタオルハンカチ１は、タオル生地よりなり首に巻き付けることができる長さを有する帯状の本体部２と、本体部２の一端部３に設けられた第１の留め具４と、本体部２の他端部５に設けられ第１の留め具４に連結可能な第２の留め具６を有し、首に巻き付けて第１の留め具４と第２の留め具６を連結させることにより首に着用でき、第１の留め具４と第２の留め具６を分離して折り畳むことによりハンカチとして携帯できる。【選択図】図１
0003219767.tif 000002
【実用新案登録請求の範囲】
【請求項１】
タオル生地よりなり首に巻き付けることができる長さを有する帯状の本体部と、本体部の一端部に設けられた第１の留め具と、本体部の他端部に設けられ第１の留め具に連結可能な第２の留め具を有するタオルハンカチ。
【請求項２】
長さが６０ｃｍ以上１００ｃｍ以下で、幅が５ｃｍ以上１５ｃｍ以下であり、タオル生地は下糸がポリエステル長繊維でありパイル糸がポリエステルを含むマイクロファイバーであって非ループ状のパイル面を有するパイル編物であり、少なくとも一つの面には昇華転写印刷による印刷面が形成されている請求項１に記載のタオルハンカチ。
【請求項３】
長さが６０ｃｍ以上７０ｃｍ以下である請求項２に記載のタオルハンカチ。
【考案の詳細な説明】
【技術分野】
【０００１】
この考案は、首に直接巻き付けて着用できるとともに、ハンカチとして携帯することもできるタオル製品に関する。
【背景技術】
【０００２】
首周りはもっとも汗をかきやすく、暑い時には不快に感じることが多い。しかし、下着シャツは前部が開いていて、首部に接しておらず、汗を吸収できない。首に巻き付けて着用するものとして、ネクタイ・マフラー・ネッカチーフ・スカーフなどは、衣服の上から着用するもので、首部の肌に直接当てるような目的ではない。
【０００３】
野外で作業する者が、通常のタオルを首にかけることがある。しかし、首にかけているだけなので、最も汗が多い首の前部には接しておらず、汗を吸収できない。また、長いタオルが体の前に垂れ下がっているのは、見た目にも美しくなく、社交的な場では使用できず、野外の作業現場などでの使用に限られる。
【０００４】
特許文献１には、タオル製品について記載され、タオルマフラーという語が数ヵ所に表れる。しかし、タオルマフラーに関する具体的な説明も図示も一切ない。
【先行技術文献】
【特許文献】
【０００５】
【特許文献１】特開２０１２−１６４３６号公報
【考案の概要】
【考案が解決しようとする課題】
【０００６】
従来の首の着用品は防寒具や単なる装飾品であり、首の肌へ直に接することを目的としておらず、汗を吸収することはできない。特許文献１などのタオルマフラーもマフラーの一種であり、同様である。また、普通のタオルを首にかけても、最も発汗の多い首前部に接していない。見た目に美しくなく、人と接する場所では使用できない。
【０００７】
この考案は、肌触りと吸水性がよく、首に直接着用することができ、しかもハンカチとしても使用できるタオル製品を提供することを目的とする。
【課題を解決するための手段】
【０００８】
上述の課題を解決するため、この考案のタオルハンカチは、タオル生地よりなり首に巻き付けることができる長さを有する帯状の本体部と、本体部の一端部に設けられた第１の留め具と、本体部の他端部に設けられ第１の留め具に連結可能な第２の留め具を有する。特に、長さが６０ｃｍ以上１００ｃｍ以下で、幅が５ｃｍ以上１５ｃｍ以下であり、タオル生地は下糸がポリエステル長繊維でありパイル糸がポリエステルを含むマイクロファイバーであって非ループ状のパイル面を有するパイル編物であり、少なくとも一つの面には昇華転写印刷による印刷面が形成されていることが好ましい。そして、長さが６０ｃｍ以上７０ｃｍ以下とすることにより、ハンカチとしての携帯性が特に優れる。
【考案の効果】
【０００９】
この考案のタオルハンカチは、タオル生地よりなる本体部を首に巻き付けて、留め具で端部同士を連結することによって、首の肌に接するようにして首周りをカバーすることができる。折り畳めばハンカチとして携帯できる大きさであっても、首周りをカバーでき、肌触りと吸水性に優れ、しかも着用時の美観にも優れる。
【図面の簡単な説明】
【００１０】
【図１】タオルハンカチの第１の例を示す正面図である。
【図２】同背面図である。
【図３】タオルハンカチの第１の例の使用状態を示す正面図である。
【図４】タオルハンカチの第２の例を示す正面図である。
【図５】タオルハンカチの第２の例の使用状態を示す正面図である。
【考案を実施するための形態】
【００１１】
この考案を実施するための形態について説明する。図１はタオルハンカチの第１の例を示す正面図、図２は同背面図である。タオルハンカチ１は、タオル生地よりなり首に巻き付けることができる長さを有する帯状の本体部２を有する。ここで、首には１周だけ巻くことができればよく、複数回巻ける必要はない。着用する者の首の太さに合うように複数のサイズを設定してもよいが、長さが６０ｃｍ以上１００ｃｍ以下で、幅が５ｃｍ以上１５ｃｍ以下とすることにより、多くの成人が着用するのに適し、長さが６０ｃｍ以上７０ｃｍ以下とすることにより、折り畳んでポケットに収納しやすくなる。タオル生地としては、タオル織物でもよいが、縦編み、丸編みなどのパイル編物でもよい。
【００１２】
帯状の本体部２の第１の端部側３には第１の留め具２が設けられ、それとは反対側の第２の端部側５には第２の留め具６が設けられている。留め具としては、簡単に着脱でき、しかも小さいものが適しており、ボタン、ホック、スナップボタンなどが選択できる。
【００１３】
図１、図２に示す例について、さらに詳細に説明する。本例では、タオル生地は下糸がポリエステル長繊維でありパイル糸がポリエステルを含むマイクロファイバーであって非ループ状のパイル面を有するパイル編物である。下糸はフィラメントポリエステル４０デニール単糸を、パイル糸はポリエステル８０％・ナイロン２０％の７５デニール／３６本で１６分割の割繊糸を使用し、シングルラッセル編みにより、両面に非ループ状のパイル面を有するパイル編物としている。
【００１４】
本体部の両面には、それぞれ異なった柄の印刷面が昇華転写印刷によって表されている。この昇華転写印刷により、美しい図柄が表現されるとともに、印刷の際のプレス処理によりパイル生地が薄くなっている。なお、昇華転写印刷は片側の面のみに施すのでもよい。
【００１５】
本体部は細長い帯状であり、本例では両端部は垂直な辺となっている横長の長方形であり、長さが６０ｃｍ以上７０ｃｍ以下で、幅が５ｃｍ以上１５ｃｍ以下であることが好ましく、本例では長さ６３ｃｍ、幅１２．５ｃｍである。これ以外にも、両端部は斜辺であってもよく、後述の第２の例のように六角形でもよく、あるいは平行四辺形や台形などであってもよい。
【００１６】
本例では、第１の端部側３には、その上下の隅部付近にそれぞれ第１の留め具４としてスナップボタンが設けられ、第２の端部側５の隅部付近にもそれぞれ第２の留め具６がとしてスナップボタンが設けられている。ここで、第１の留め具４と第２の留め具６の連結部は、相互に異なる面に設けられている。また、本例では、第１の端部側３において幅分の距離だけ内側に入った位置にも２つの第１の留め具４が設けられている。
【００１７】
図３はタオルハンカチの第１の例の使用状態を示す正面図であり、首に着用する際の状態を示している。第１の留め具４と第２の留め具６を相互に連結することにより、環の形状が形成される。実際には、使用者の首に１周だけ巻き付けてから、連結する。これだけの作業によって、首に着用することができる。本例では、第１の留め具４として最端部の対と、やや中寄りの対の２組があるので、そのいずれかを選択することによって、環の大きさを使用者の首の太さに合せて選択できる。あるいは、密着した状態で着用するか、緩やかな状態で着用するかの調整としても利用できる。
【００１８】
タオルハンカチ１は留め具４，６によって適切に固定され、パイル面がしっかりと首の皮膚に接した状態が維持される。結び目がないので、すっきりとした美しい外観であり、しかも短く作ることができる。表面には昇華転写による美しい図柄が表れているので、タオルを巻いているとは思われないような上品な感じが得られる。
【００１９】
この考案のタオルハンカチ１は肌に直接的に接するが、タオル生地であるので、柔らかく触感に優れるとともに、吸水性に優れる。特に、ポリエステルを主要な素材とするマイクロファイバーを用いることによって精密な図柄が表現できる上に、高い吸水性が得られ、汗などの水分を十分に吸収し、それが再び肌の方へ戻ることがないので、さらっとした感じが長く続く。
【００２０】
着用後も、留め具４，６を外すことによって、簡単に取り外すことができる。これを長さ方向に六つ折りに畳むと、通常のハンカチを畳んだのと同程度の大きさになり、衣服のポケットに収納することができる。特に、昇華転写印刷の際にプレス処理を行っているので、生地が薄くなっており、折り畳んでもかさばらない。肌触りがよく、吸水に優れているので、ハンカチとしても優れている。
【００２１】
この考案のタオルハンカチの第２の例について説明する。図４はタオルハンカチの第２の例を示す正面図である。本例では、両端部において２つの斜辺が突き出した形態であり、全体として細長い六角形の形状である。斜辺は上下の長編に対して４５度の角度であり、先端部では２つの斜辺が直角になっている。そして、第１の端部側３の斜辺の両端部付近に一ずつ第１の留め具が設けられ、第２の端部側５にも、ほぼ対称な位置に第２の留め具が設けられている。本体部２の長さや幅は第１の例と同様でよい。
【００２２】
図５はタオルハンカチの第２の例の使用状態を示す正面図であり、首に着用する際の状態を示している。第１の留め具４と第２の留め具６を相互に連結することにより、環の形状が形成される。このとき、単純な円筒形ではなく、衣服の襟のように首の後ろ側が高く、前側が低い形状が形成される。人の首の形状に沿って、首のほぼ全体を覆う。また、前側の合せ部の下縁部は、水平な直線になり、すっきりした見栄えが得られる。
【００２３】
以上、この考案のタオルハンカチは区部への着用時には、汗をぬぐうためのタオルという感じではなく、衣類として受け入れられるだけの装飾性を備えている。しかも、通常のタオルを首にかけるよりもはるかによく汗を吸収することができ、首元を快適にできる。
【００２４】
また、とくに首部において肌を見せたくないと感じる女性用には、７０ｃｍ程度、あるいはそれよりも長めにしてもよい。さらに、ダブルラッセル編みによって厚めに形成したパイル生地を使用して、冬の防寒用とすることもできる。
【符号の説明】
【００２５】
１．ハンカチタオル
２．本体部
３．第１の端部
４．第１の留め具
５．第２の端部
６．第２の留め具
【図１】
0003219767.tif 000003
【図２】
0003219767.tif 000004
【図３】
0003219767.tif 000005
【図４】
0003219767.tif 000006
【図５】
0003219767.tif 000007